(57)【要約】【課題】重量を大きくし過ぎないで、打感を向上させて打ち易いアイアンヘッドを有するゴルフクラブを提供する。【解決手段】フェース部のバック側周辺部は、上斜め方向に傾斜するトップ部と、トウ部ＴＵと、ソール部と、ヒール部ＨＬとに亘った厚肉部ＬＴによって形成され、該厚肉部によって囲まれたフェース壁部ＦＨは、スィートスポットを含む中央部領域Ｚ２の肉厚が、トップ部のトップ面の長手方向中央点と接する接平面ＰＬに平行なライン上で測って、該中央部領域の一側に隣接したトウ部側領域Ｚ３の肉厚よりも厚いと共に、他側に隣接したヒール部側領域Ｚ１の肉厚よりも厚く、また、該ヒール部側領域、中央部領域、トウ部側領域の夫々の領域内において、前記接平面に対して垂直な方向において、トップ部からソール部の方向に向かって漸次滑らかに厚肉化されており、該トウ部側領域とヒール部側領域は、夫々のトップ部側縁部ＦＨＦの肉厚が互いに同じであり、前記厚肉化の増加率も互いに同じであるよう構成する。【選択図】図３
2007289639.tif 000002
【特許請求の範囲】
【請求項１】
ライ角通りに載置した場合、フェース部のバック側周辺部は、シャフト固着側から上斜め方向に傾斜するトップ部と、トウ部と、ソール部と、ヒール部とに亘った厚肉部によって形成されており、その厚肉部によって囲まれた凹部領域のフェース壁部は、トップ部のトップ面の長手方向中央点と接する接平面に対して垂直な方向において、トップ部からソール部の方向に向かって漸次滑らかに厚肉化されていることを特徴とするアイアンヘッドを有するゴルフクラブ。
【請求項２】
前記フェース壁部のトップ部側縁部が、その縁部に沿って一定肉厚であって、前記厚肉化の増加率が前記接平面に平行なライン上において同じである請求項１記載のアイアンヘッドを有するゴルフクラブ。
【請求項３】
ライ角通りに載置した場合、フェース部のバック側周辺部は、シャフト固着側から上斜め方向に傾斜するトップ部と、トウ部と、ソール部と、ヒール部とに亘った厚肉部によって形成されており、その厚肉部によって囲まれた凹部領域のフェース壁部内の、スィートスポットを含む中央部領域の肉厚が、トップ部のトップ面の長手方向中央点と接する接平面に平行なライン上で測って、該中央部領域の一側に隣接したトウ部側領域の肉厚よりも厚いと共に、他側に隣接したヒール部側領域の肉厚よりも厚く、また、該ヒール部側領域、中央部領域、トウ部側領域の夫々の領域内において、前記接平面に対して垂直な方向において、トップ部からソール部の方向に向かって漸次滑らかに厚肉化されており、該トウ部側領域とヒール部側領域は、夫々のトップ部側縁部の肉厚が互いに同じであると共に、夫々の領域における前記厚肉化の増加率も互いに同じであることを特徴とするアイアンヘッドを有するゴルフクラブ。
【請求項４】
ライ角通りに載置した場合、フェース部のバック側周辺部は、シャフト固着側から上斜め方向に傾斜するトップ部と、トウ部と、ソール部と、ヒール部とに亘った厚肉部によって形成されており、その厚肉部によって囲まれた凹部領域のフェース壁部は、トップ部側縁部に沿った細長領域を有し、前記フェース壁部の前記細長領域を除いた他領域よりも段差状に肉厚が薄く、該細長領域はヘッドのスィートスポットよりもトップ部寄りに位置しており、
前記他領域において、スィートスポットを含む中央部領域の肉厚が、トップ部のトップ面の長手方向中央点と接する接平面に平行なライン上で測って、該中央部領域の一側に隣接したトウ部側領域の肉厚よりも厚いと共に、他側に隣接したヒール部側領域の肉厚よりも厚く、また、該ヒール部側領域とトウ部側領域の夫々の領域内において、前記接平面に対して垂直な方向において、トップ部からソール部の方向に向かって漸次滑らかに厚肉化されており、該トウ部側領域とヒール部側領域は、夫々のトップ部寄り縁部の肉厚が互いに同じであると共に、夫々の領域における前記厚肉化の増加率も互いに同じであることを特徴とするアイアンヘッドを有するゴルフクラブ。
【請求項５】
前記中央部領域も、前記接平面に対して垂直な方向において、トップ部からソール部の方向に向かって漸次滑らかに厚肉化されている請求項４記載のアイアンヘッドを有するゴルフクラブ。
【請求項６】
前記中央部領域の厚肉化の増加率は、前記トウ部側領域とヒール部側領域の増加率よりも大きい請求項３又は５記載のアイアンヘッドを有するゴルフクラブ。
【発明の詳細な説明】
【技術分野】
【０００１】
本発明は、アイアンヘッドを有するゴルフクラブに関する。
【背景技術】
【０００２】
アイアンヘッドを有するゴルフクラブで打撃する場合は、通常、ヘッドの下部が打撃位置となる。打感を向上させるためには、この打撃位置の肉厚を厚くすることが必要である。しかし、フェース壁部の全体を厚肉化すれば、ヘッドが必要以上に重量化してしまう。下記特許文献１ではフェース壁部下方部を厚くし、重心を下げて打撃したボールが上がり易いゴルフクラブヘッドとしている。
【特許文献１】特開２００３−２６５６５２号公報
【発明の開示】
【発明が解決しようとする課題】
【０００３】
然しながら、ヘッドの上下方向において段差状に厚肉化しているため、打撃位置が上下方向にずれると、その打感が大きく変わり、ゴルファーにとっては安定した状態では打ち難いクラブとなる。
依って解決しようとする課題は、重量を大きくし過ぎないで、打感の急変を防止して打感を向上させ、打ち易いアイアンヘッドを有するゴルフクラブを提供する。
また、打撃位置がトウ・ヒール方向にずれて、トウ側やヒール側で打撃した場合にも打感変化の小さいアイアンヘッドを有するゴルフクラブを提供する。
【課題を解決するための手段】
【０００４】
第１の発明では、ライ角通りに載置した場合、フェース部のバック側周辺部は、シャフト固着側から上斜め方向に傾斜するトップ部と、トウ部と、ソール部と、ヒール部とに亘った厚肉部によって形成されており、その厚肉部によって囲まれた凹部領域のフェース壁部は、トップ部のトップ面の長手方向中央点と接する接平面に対して垂直な方向において、トップ部からソール部の方向に向かって漸次滑らかに厚肉化されていることを特徴とするアイアンヘッドを有するゴルフクラブを提供する。
後述のように、上記中央点の位置は厳密に定まる必要はない。また、垂直な方向も、厳密に解釈すべきものではない。
【０００５】
第２の発明では、前記フェース壁部のトップ部側縁部が、その縁部に沿って一定肉厚であって、前記厚肉化の増加率が前記接平面に平行なライン上において同じである第１の発明記載のアイアンヘッドを有するゴルフクラブを提供する。
【０００６】
第３の発明では、ライ角通りに載置した場合、フェース部のバック側周辺部は、シャフト固着側から上斜め方向に傾斜するトップ部と、トウ部と、ソール部と、ヒール部とに亘った厚肉部によって形成されており、その厚肉部によって囲まれた凹部領域のフェース壁部内の、スィートスポットを含む中央部領域の肉厚が、トップ部のトップ面の長手方向中央点と接する接平面に平行なライン上で測って、該中央部領域の一側に隣接したトウ部側領域の肉厚よりも厚いと共に、他側に隣接したヒール部側領域の肉厚よりも厚く、また、該ヒール部側領域、中央部領域、トウ部側領域の夫々の領域内において、前記接平面に対して垂直な方向において、トップ部からソール部の方向に向かって漸次滑らかに厚肉化されており、該トウ部側領域とヒール部側領域は、夫々のトップ部側縁部の肉厚が互いに同じであると共に、夫々の領域における前記厚肉化の増加率も互いに同じであることを特徴とするアイアンヘッドを有するゴルフクラブを提供する。
【０００７】
第４の発明では、ライ角通りに載置した場合、フェース部のバック側周辺部は、シャフト固着側から上斜め方向に傾斜するトップ部と、トウ部と、ソール部と、ヒール部とに亘った厚肉部によって形成されており、その厚肉部によって囲まれた凹部領域のフェース壁部は、トップ部側縁部に沿った細長領域を有し、前記フェース壁部の前記細長領域を除いた他領域よりも段差状に肉厚が薄く、該細長領域はヘッドのスィートスポットよりもトップ部寄りに位置しており、前記他領域において、スィートスポットを含む中央部領域の肉厚が、トップ部のトップ面の長手方向中央点と接する接平面に平行なライン上で測って、該中央部領域の一側に隣接したトウ部側領域の肉厚よりも厚いと共に、他側に隣接したヒール部側領域の肉厚よりも厚く、また、該ヒール部側領域とトウ部側領域の夫々の領域内において、前記接平面に対して垂直な方向において、トップ部からソール部の方向に向かって漸次滑らかに厚肉化されており、該トウ部側領域とヒール部側領域は、夫々のトップ部寄り縁部の肉厚が互いに同じであると共に、夫々の領域における前記厚肉化の増加率も互いに同じであることを特徴とするアイアンヘッドを有するゴルフクラブを提供する。
【０００８】
第５の発明では、前記中央部領域も、前記接平面に対して垂直な方向において、トップ部からソール部の方向に向かって漸次滑らかに厚肉化されている第４の発明記載のアイアンヘッドを有するゴルフクラブを提供する。
【０００９】
第６の発明では、前記中央部領域の厚肉化の増加率は、前記トウ部側領域とヒール部側領域の増加率よりも大きい第３の発明又は第５の発明記載のアイアンヘッドを有するゴルフクラブを提供する。
【発明の効果】
【００１０】
第１の発明では、接平面に垂直な方向におけるトップ部からソール部の方向に漸次滑らかに厚肉化しているため、打撃位置の上下方向のずれによる打感の急変を防止できると共に、全体重量を大きくし過ぎないで重心位置を下げる。従って、打撃位置となるヘッドの下方部（ソール部に近い部位）による打感を向上できる。
【００１１】
第２の発明では、フェース壁部はヒール部側の上下幅が小さく、トウ部側のそれは大きい。また、トップ部側縁部の同一肉厚からスタートし、厚肉化の増加率も同じ（不変）であるため、ソール部側縁部では、ヒール部側よりもトウ部側がより厚肉化している。このため、ヒール部側領域も中央部領域もトウ部側領域も、打撃時の撓み剛性に大きな差は無く、トウ・ヒール方向における打撃場所ずれによる打感変化が小さく、ゴルファーにとっては打ち易いゴルフクラブとなる。
【００１２】
第３の発明では、トウ側領域もヒール側領域も撓み剛性が大きく異ならない構造のため、打撃がスィートスポットを大きく外れて前後方向のトウ側やヒール側にずれた場合、何れの領域で打撃しても打感差が小さく、打ち易い。また、接平面に垂直な方向におけるトップ部からソール部の方向に漸次滑らかに厚肉化しているため、各領域において打撃位置が上下方向にずれた場合の打感の急変を防止できると共に、全体重量を大きくし過ぎないで重心位置を下げることができる。従って、打撃位置となるヘッドの下方部（ソール部に近い部位）による打感を向上できる。更には、スィートスポットを含む中央部領域が厚肉であるため、この領域を打撃した場合（正確な打撃時）の打感を向上させられる。
【００１３】
第４の発明は、第３の発明と類似の作用効果を奏する。即ち、トウ側領域もヒール側領域も撓み剛性が大きく異ならない構造のため、打撃がスィートスポットを大きく外れて前後方向のトウ側やヒール側にずれた場合、何れの領域で打撃しても打感差が小さく、打ち易い。また、トウ部側領域とヒール部側領域では、接平面に垂直な方向におけるトップ部からソール部の方向に漸次滑らかに厚肉化しているため、打撃位置の上下方向のずれによる打感の急変を防止できると共に、全体重量を大きくし過ぎないで重心位置を下げることができる。従って、打撃位置となるヘッドの下方部（ソール部に近い部位）による打感を向上できる。更には、スィートスポットを含む中央部領域が厚肉であるため、この領域を打撃した場合の打感を向上させられる。
更には、細長領域はヘッドのスィートスポットを外れた上方に位置しているため、この領域はアイアンヘッドで打撃する際の打撃領域からは外れていると共に、他領域に比べて段差状に薄肉化されている。従って、中央部領域とトウ部側領域とヒール部側領域とからなる他領域は、その上端支持部（細長領域）が薄肉故、薄肉化させた分の重量を、ヘッドの下方部に移せば低重心化が図れ、スィートスポットが下がり、地面に置かれたボールの打撃位置と一致し易くなる。従って、飛距離が向上する。
【００１４】
第５の発明では、中央部領域も漸次滑らかに厚肉化されているため、この中央部領域を打撃した場合に、打撃位置が上下方向にずれたことによる打感の急変を防止できる。
第６の発明では、中央部領域の打撃位置となるヘッド下方部の肉厚が更に厚肉化するため、スィートスポット付近を打撃した場合の打感を更に向上させられる。
【発明を実施するための最良の形態】
【００１５】
以下、本発明を図面を用いて詳細に説明する。図１は本発明に係るアイアンヘッドを有するゴルフクラブをライ角θの通りに水平面ＨＰ上に載置した状態の正面図であり、図２はそのヘッド付近の拡大図、図３は図２のバック側から見た背面図であり、図４は図３の矢視線Ｄ−Ｄによる断面図、図５は矢視線Ｅ−Ｅによる断面図、図６は矢視線Ｆ−Ｆによる断面図、図７は矢視線Ｇ−Ｇによる断面図である。ヘッド１０のフェース部ＦＳは、ヒール部ＨＬ、トウ部ＴＵ、ソール部ＳＬ、トップ部ＴＰとによって周囲を囲まれている。ライ角通りにソール部ＳＬが水平面ＨＰに載置された際のトップ部ＴＰは、図示の如く、シャフト固着部であるホーゼル部ＨＺからトウ部ＴＵ側に向かって上斜め方向に延伸している。
【００１６】
ヘッドのバック側は、その周縁部を、トップ部と、トウ部と、ソール部と、ヒール部とに亘って環状になった厚肉部ＬＴによって形成しており、その厚肉部によって囲まれた凹部領域のフェース壁部ＦＨは、厚肉部に比べて相対的に薄肉であり、トップ部のトップ面の長手方向中央点Ｐと接する接平面ＰＬに対して概ね垂直な方向において、トップ部からソール部の方向に漸次滑らかに厚肉化させている。
【００１７】
トップ面の長手方向中央点Ｐは厳密には決定し難いが、正面視や背面視におけるトップ面の小さな曲率に比べて大きな曲率を有するホーゼル部との円弧状境界領域を除き、また、トウ部ＴＵとの円弧状境界領域を除いた範囲Ｌの中間点として決定する。この中央点Ｐに接する接平面ＰＬに対して垂直な方向が定まる。トップ面は曲率が小さいため、中央点Ｐの位置がずれても、この垂直方向は大きくは変化しない。
【００１８】
フェース壁部ＦＨは、該フェース壁部のトップ部側縁部ＦＨＦが、その縁部に沿って一定肉厚であって、前記接平面に対する垂直方向に沿った厚肉化の増加率が前記接平面に平行なライン上において同じであるという１つの実施形態がある。この他、図３〜図７に示すように、スィートスポットを含む中央部領域Ｚ２のトウ部側の肉厚ｔ４が、前記接平面に平行なライン上で測って、該中央部領域のトウ部側に隣接したトウ部側領域Ｚ３の肉厚ｔ５よりも厚いと共に、中央部領域Ｚ２のヒール部側の肉厚ｔ３が、ヒール部側に隣接したヒール部側領域Ｚ１の肉厚ｔ２よりも厚く、更には、該トウ部側領域とヒール部側領域は、夫々のトップ部側縁部ＦＨＦの肉厚が互いに同じであると共に、前記厚肉化の増加率も互いに同じである形態例がある。
【００１９】
この図３の形態例は、トウ部側領域Ｚ３とヒール部側領域Ｚ１は、図４〜図６を参照すると判り易いが、夫々のトップ部側縁部ＦＨＦの肉厚Ｔ１，Ｔ１が互いに同じであり、前記垂直方向の厚肉化の増加率も同じであるため、肉厚Ｔ１＜肉厚Ｔ２＜肉厚Ｔ５、肉厚Ｔ３＜肉厚Ｔ４であり、水平面ＨＰに平行な面で切断した図７に現れる肉厚は領域Ｚ３の方が領域Ｚ１よりも厚い。即ち、肉厚ｔ１＜肉厚ｔ２＜肉厚ｔ５＜肉厚ｔ６である。なお、図５に示す１点鎖線１２Ｊはシャフトの中心軸線であり、水平面ＨＰのラインに対して図５において直角であり、αはロフト角である。一方、トップ面が上傾斜であるため、領域Ｚ３の上下方向の幅は、領域Ｚ１の同方向幅よりも大きい。言い換えると、領域Ｚ３の上下の厚肉部ＬＴの間隔は広く、領域Ｚ１の上下の厚肉部ＬＴの間隔は狭い。
【００２０】
このため、打撃がスィートスポットを大きく外れてトウ側やヒール側にずれた場合の打撃時において、同じ高さの打撃で比較すれば、領域Ｚ３の撓み剛性と領域Ｚ１の撓み剛性とは大きく異ならず、何れの領域で打撃しても打感差が小さく、ゴルファーにとって打ち易いアイアンヘッドを有するゴルフクラブとなる。
【００２１】
また、打撃がスィートスポットを含む中央部領域Ｚ２を打撃した場合（正確な打撃をした場合）、その前後領域Ｚ１，Ｚ３に比べて肉厚が厚いため、打感がより向上する。また、この図３の例では、中央部領域Ｚ２の厚肉化の増加率は前後領域Ｚ１，Ｚ３と同じである。即ち、各領域Ｚ１，Ｚ２，Ｚ３の表面は平行である。
【００２２】
図８は本発明に係る他の形態例を示す背面図であり、第４発明〜第６発明の形態例を示している。図９、図１０、図１１は、夫々図８の矢視線Ｉ−Ｉ，Ｊ−Ｊ，Ｋ−Ｋによる横断面図である。以下では、図３の形態例と異なる事項を主に説明する。厚肉部ＬＴによって囲まれた凹部領域のフェース壁部ＦＨは４つの領域Ｚ０，Ｚ１’，Ｚ２’，Ｚ３’に分割されている。細長領域Ｚ０はトップ部側縁部ＦＨＦに沿った細長い帯状であり、この例ではその肉厚Ｔ０は一定である。また、他の３つの領域よりも段差状に薄肉厚である他、スィートスポットＳＰよりも上方に位置している。
【００２３】
一方、ヒール部側領域Ｚ１’、中央部領域Ｚ２’、トウ部側領域Ｚ３’の上縁は、細長領域Ｚ０の下縁であることと、中央部領域Ｚ２’の厚肉化の増加率が前後の領域Ｚ１’，Ｚ３’よりも大きいことと、中央部領域の上端縁部の肉厚が前後の領域Ｚ１’，Ｚ３’の上縁部と同じ肉厚であること以外は図３の形態例と同様である。従って、図９〜図１１に示す肉厚関係は、Ｔ０＜Ｔ１’＜Ｔ２’、Ｔ３’＝Ｔ１’＜Ｔ４’、Ｔ１’＜Ｔ５’である。
【００２４】
打撃領域となり得る３つの領域Ｚ１’，Ｚ２’，Ｚ３’の作用効果は、図３の形態例の場合と同様な作用効果を奏する他、中央部領域Ｚ２’がソール部方向に向かって大きな増加率で厚肉化されているため、この領域を打撃した場合、即ち、スィートスポットＳＰ付近を打撃した場合、その打感を更に向上させられる。更には、細長領域Ｚ０がこれら３つの領域Ｚ１’，Ｚ２’，Ｚ３’に対して段差状に薄肉化されているため、細長領域Ｚ０を薄肉化させた分の重量をヘッドの下方部に移せば、低重心化が図れ、スィートスポットが下がり、地面に置かれたボールの打撃位置と一致し易くでき、飛距離が向上する。また、打撃時に、フェース壁部の３つの領域Ｚ１’，Ｚ２’，Ｚ３’の上縁がバック側に撓み易いため、反発性が高まって飛距離が伸びる。
【００２５】
細長領域Ｚ０の幅は、ヘッドでの、実質的打撃領域を含まない範囲で広くすることが、低重心化に寄与できる。従って、長さ方向の平均幅で言って、トップ部側の厚肉部ＬＴの平均幅よりも大きくし、１０ｍｍ以下とする。
【００２６】
細長領域の肉厚Ｔ０は、横断面において（上下方向に）一定とは限らず、トウ部側領域Ｚ３’を例に示せば図１２に示すように、トップ部側厚肉部ＬＴの直下の肉厚Ｔ０”を最大とし、ソール部方向に行くに従って漸減して、最小肉厚Ｔ０’となり、段差状に厚肉化された肉厚Ｔ１’を有する部位を上縁とするトウ部側領域Ｚ３’に連続する。この場合、Ｔ０’＜Ｔ０”≦Ｔ１’である。
【００２７】
図８の例では、中央部領域Ｚ２’の表面は滑らかであるが、例えば、中央部領域の適宜位置に２点鎖線で囲む範囲ＺＺを、この部分の肉厚の１５パーセント以下の範囲の深さに削り取ってもこの領域の打撃時に実質的な段差の影響は生じないため、中央部領域Ｚ２’の表面が滑らかである場合と、実質的には同じ作用効果を奏する。
また、以上の各図示形態例では、肉厚の増加率は一定値の場合を示しているが、漸次滑らかに厚肉化される限り、増加率が漸次大きくなったり、その他種々に変化してもよい。
【産業上の利用可能性】
【００２８】
本発明は、アイアンヘッドを有するゴルフクラブに利用できる。
【図面の簡単な説明】
【００２９】
【図１】図１は本発明に係るアイアンヘッドを有するゴルフクラブの正面図である。
【図２】図２は図１のヘッド付近の拡大図である。
【図３】図３は図２のバック側から見た背面図である。
【図４】図４は図３の矢視線Ｄ−Ｄによる断面図である。
【図５】図５は図３の矢視線Ｅ−Ｅによる断面図である。
【図６】図６は図３の矢視線Ｆ−Ｆによる断面図である。
【図７】図７は図３の矢視線Ｇ−Ｇによる断面図である。
【図８】図８は本発明に係る他の形態例の背面図である。
【図９】図９は図８の矢視線Ｉ−Ｉによる横断面図である。
【図１０】図１０は図８の矢視線Ｊ−Ｊによる横断面図である。
【図１１】図１１は図８の矢視線Ｋ−Ｋによる横断面図である。
【図１２】図１２は細長領域の他の形態例を示す断面図である。
【符号の説明】
【００３０】
１０                    アイアンヘッド
ＦＨ                    フェース壁部
ＦＨＦ                  フェース壁部のトップ部側縁部
ＬＴ                    厚肉部
Ｐ                      トップ面の中央点
ＰＬ                    接平面
ＴＰ                    トップ部
Ｚ１，Ｚ１’            ヒール部側領域
Ｚ２，Ｚ２’            中央部領域
Ｚ３，Ｚ３’            トウ部側領域
【図１】
2007289639.tif 000003
【図２】
2007289639.tif 000004
【図３】
2007289639.tif 000005
【図４】
2007289639.tif 000006
【図５】
2007289639.tif 000007
【図６】
2007289639.tif 000008
【図７】
2007289639.tif 000009
【図８】
2007289639.tif 000010
【図９】
2007289639.tif 000011
【図１０】
2007289639.tif 000012
【図１１】
2007289639.tif 000013
【図１２】
2007289639.tif 000014